(57)【要約】【課題】貯留ホッパーの底部から乾燥空気を送気して、大容量のケーキを均一に乾燥し、送気室に落下する微細粒子のケーキも排出できる装置を提供する。【解決手段】通気多孔板（２）を貯留ホッパー（１）の側壁（１ａ）に枢着し、通気多孔板（２）の枢着点（２ａ）より下方の側壁（１ａ）に枢着した下部ゲート（３）で貯留ホッパー（１）の排出口（４）を閉止して、通気多孔板（２）の先端を支持させ、通気多孔板（２）と下部ゲート（３）の枢着点（２ａ、３ａ）間の貯留ホッパー（１）の側壁（１ａ）に空気の供給孔（９）を設けたので、下部ゲート（３）で貯留ホッパー（１）の排出口（４）を閉止すれば、通気多孔板（２）上に脱水ケーキ（Ａ）が貯留でき、下部ゲート（３）と通気多孔板（２）の間に送気室（６）が形成され、脱水ケーキ（Ａ）を均一に乾燥できる。そして、排出口（４）を解放すれば、下部ゲート（３）上に落下した微細ケーキ（Ｄ）も乾燥ケーキ（Ｃ）とともに排出できる。【選択図】      図１
2004154638.tif 000002
【特許請求の範囲】
【請求項１】
貯留ホッパー（１）に投入した脱水ケーキ（Ａ）に空気を供給し、貯留ホッパー（１）の排出口（４）を解放して水分を蒸発させた乾燥ケーキ（Ｃ）を排出する貯留ホッパー（１）において、多数の通気孔を有する通気多孔板（２）を貯留ホッパー（１）の側壁（１ａ）に回動自在に枢着し、通気多孔板（２）の枢着点（２ａ）より下方の側壁（１ａ）に回動自在に枢着した下部ゲート（３）で貯留ホッパー（１）の排出口（４）を閉止して、通気多孔板（２）の先端を支持させると共に、通気多孔板（２）と下部ゲート（３）の枢着点（２ａ、３ａ）間の貯留ホッパー（１）の側壁（１ａ）に空気の供給孔（９）を設けたことを特徴とするケーキ貯留乾燥ホッパー。
【請求項２】
上記貯留ホッパー（１）の外周壁に給気ダクト（８）を配設し、給気ダクト（８）を貯留ホッパー（１）の側壁（１ａ）に設けた長孔の供給孔（９）に連通させたことを特徴とする請求項１に記載のケーキ貯留乾燥ホッパー。
【請求項３】
上記貯留ホッパー（１）の排出口（４）を閉止した通気多孔板（２）の上方に、一対の撹拌羽根（７、７）を配設したことを特徴とする請求項１または２に記載のケーキ貯留乾燥ホッパー。
【請求項４】
上記貯留ホッパー（１）の頂部に投入口（１０）を設け、この投入口（１０）に開閉自在な上部ゲート（１１）を配設したことを特徴とする請求項１乃至３の何れか１項に記載のケーキ貯留乾燥ホッパー。
【請求項５】
上記貯留ホッパー（１）の上部側壁に排気口（１２）を設けたことを特徴とする請求項１乃至４の何れか１項に記載のケーキ貯留乾燥ホッパー。
【請求項６】
上記貯留ホッパー（１）の外周壁に配設した給気ダクト（８）と貯留ホッパー（１）の上部側壁に設けた排気口（１２）を循環経路（Ｂ）で連結し、循環経路（Ｂ）に除湿ユニット（１４）と循環ファン（１５）を配設したことを特徴とする請求項１乃至５の何れか１項に記載のケーキ貯留乾燥ホッパー。
【発明の詳細な説明】
【０００１】
【発明の属する技術分野】
この発明は、下水処理場や浄水場あるいは産業排水から発生する汚泥を、ろ過機や脱水機で固液分離を行ない、貯留した脱水ケーキを乾燥させるケーキ貯留乾燥ホッパーの改良に関する。
【０００２】
【従来の技術】
ケーキ貯留ホッパーに下部開閉装置を設け、ケーキ貯留ホッパーの側壁の空気送風ノズルから加熱蒸気を供給し、回転羽根でケーキを撹拌しながら乾燥させる装置は、特許文献１に記載してあるように公知である。そして、底面にロストルを取り付けたバスケットを乾燥機本体に載置して、バスケットに収納したプレスケーキに乾燥機本体から加熱空気などを送り込み、ケーキを乾燥させる装置も、特許文献２に記載してあるように公知である。
【０００３】
【特許文献１】
特開平９−２９２９９号公報（請求項１、図１）
【特許文献２】
特開平９−２７６６１１号公報（請求項１及び段落番号０００７、図１及び図２）
【０００４】
【発明が解決しようとする課題】
特許文献１の乾燥装置は、回転羽根の撹拌により、比較的小型のホッパーとして有効なケーキの乾燥手段であるが、大容量のホッパーとすると、撹拌されるケーキがホッパーの周辺部に盛り上がり、脱水ケーキの乾燥ムラが起こり、均一な乾燥ができない。また、特許文献２の乾燥装置は、バスケットの底部のロストルから加熱空気等を送り込むため、均一な乾燥が行なえるものであるが、脱水ケーキの粉状体が乾燥機に落下して残留し、排出できない欠点がある。この発明は、貯留ホッパーに貯留した脱水ケーキの底部全面から乾燥空気を送気して脱水ケーキを乾燥させ、空気の送気室に落下する微細粒子のケーキも乾燥ケーキと一緒に排出できる装置を提供することを目的とする。
【０００５】
【課題を解決するための手段】
この発明の要旨は、貯留ホッパーに投入した脱水ケーキに乾燥空気を供給し、貯留ホッパーの排出口を解放して水分を蒸発させた乾燥ケーキを排出する貯留ホッパーにおいて、多数の通気孔を有する通気多孔板を貯留ホッパーの側壁に回動自在に枢着し、通気多孔板の枢着点より下方の側壁に回動自在に枢着した下部ゲートで貯留ホッパーの排出口を閉止して、通気多孔板の先端を支持させると共に、通気多孔板と下部ゲートの間の貯留ホッパーの側壁に空気の供給孔を設けたもので、下部ゲートで貯留ホッパーの排出口を閉止すれば、通気多孔板上に脱水ケーキが貯留でき、下部ゲートと通気多孔板の間に送気室が形成され、通気多孔板から脱水ケーキの底部全面から乾燥空気を供給し、均一に脱水ケーキを乾燥させることができる。そして、下部ゲートを回動させて貯留ホッパーの排出口を解放すれば、下部ゲート上に落下した微細ケーキも乾燥ケーキと共に排出させることができる。
【０００６】
貯留ホッパーの外周壁に給気ダクトを配設し、給気ダクトを貯留ホッパーの側壁に設けた長孔の供給孔に連通させたもので、通気多孔板の下方全体に空気の供給が行われ、通気多孔板から均一に空気の送気が可能となる。貯留ホッパーの排出口を閉止した通気多孔板の上方に、一対の撹拌羽根を配設したもので、ケーキが細かく破砕され、撹拌されて均質な乾燥ケーキとすることができ、大容量の脱水ケーキの処理が可能となる。そして、貯留ホッパーの頂部に投入口を設け、この投入口に開閉自在な上部ゲートを配設したので、脱水ケーキの投入が容易となり、貯留ホッパーを密封することができる。また、貯留ホッパーの上部側壁に排気口を設けたので、貯留する脱水ケーキを短絡することなく、乾燥排ガスを排出することができる。更に、貯留ホッパーの外周壁に配設した給気ダクトと貯留ホッパーの上部側壁に設けた排気口を循環経路で連結し、循環経路に除湿ユニットと循環ファンを配設したもので、乾燥排ガスの悪臭を外部に排出することなく、脱水ケーキを排出させることができる。
【０００７】
【発明の実施の形態】
この発明に係る装置は上記のように構成してあり、下部ゲートを回動して貯留ホッパーの排出口を閉止させると、通気多孔板の先端が下部ゲートに支持されながら持ち上げられて、脱水ケーキの支持床が形成される。そして、貯留ホッパーの頂部の投入口から、脱水機等でろ過・脱水したケーキを投入して、上部ゲートを閉止すれば密閉室が形成される。次に、給気ダクトの乾燥空気が貯留ホッパーの側壁の供給孔から通気多孔板の下方全体に供給され、通気多孔板から均一に乾燥空気が脱水ケーキに吹込まれる。撹拌羽根で脱水ケーキを解砕しながら撹拌し、水分を蒸発させて破砕ケーキを均一に乾燥させる。湿潤した排ガスは貯留ホッパーの上部側壁の排気口から排出される。そして、乾燥が終了したケーキは下部ゲートを下方に回動すれば、通気多孔板も回動して排出口が解放され、乾燥ケーキは貯留ホッパーから落下して排出される。また、乾燥中に通気多孔板から目抜けして下部ゲートの上に堆積した微細ケーキも下部ゲートの回動により、乾燥ケーキとともに排出される。
【０００８】
【実施例】
この発明に係るケーキ貯留乾燥ホッパーについて図面に基づき詳述すると、図１はケーキ貯留乾燥ホッパーの縦断面図であって、貯留ホッパー１の左右の側壁１ａに一対の多数の通気孔を有する通気多孔板２、２が回動自在に枢着してある。通気多孔板２の枢着点２ａより下方の側壁に一対の下部ゲート３、３が枢着してあり、下部ゲート３、３の側端部に電動あるいはエアー等のシリンダー（図示せず）が連結してある。シリンダーのピストンを伸縮させて貯留ホッパー１の排出口４を開閉させるようにしてあり、下部ゲート３を上昇させて貯留ホッパー１の排出口４を水平状に閉止する。貯留ホッパー１の排出口４を閉止する時に、下部ゲート３の上面に通気多孔板２の先端部２ｂを載置して上昇させ、貯留ホッパー１の排出口４を閉止した左右の下部ゲート３、３の上部に一対の通気多孔板２、２を傾斜させて支架させる。通気多孔板２の上部の貯留ホッパー１に脱水ケーキの貯留室５を形成し、通気多孔板２と下部ゲート３の間に密閉状の送気室６を形成させる。
【０００９】
図１に示すように、貯留ホッパー１の排出口４を閉止した通気多孔板２の上方の貯留室５に一対の撹拌羽根７、７が配設してあり、撹拌羽根７を回転させる駆動手段（図示せず）に連動連結してある。通気多孔板２と下部ゲート３の枢着点２ａ、３ａ間の貯留ホッパー１の側壁１ａに給気ダクト８が配設してあり、貯留ホッパー１の側壁１ａに長孔の供給孔９が開口してある。貯留ホッパー１の頂部を投入口１０としてあり、貯留ホッパー１の頂部に枢着した一対の上部ゲート１１、１１が配設してあり、シリンダーを作動させて投入口１０を開閉する。貯留ホッパー１の上部側壁に脱水ケーキＡを除湿した湿潤空気の排気口１２が設けてある。
【００１０】
図２は乾燥システムのフローチャートであって、貯留ホッパー１の排ガスの排気口１２と吸気ダクト８の供給口１３が循環経路Ｂで連結されており、循環経路Ｂに除湿ユニット１４と循環フアン１５が配設してある。なお、除湿ユニット１４を熱風発生用の加熱バーナーと冷却除湿塔を循環経路Ｂに設けてもよいものである。
除湿ユニット１４で除湿した乾燥空気を貯留ホッパー１に供給させ、湿潤空気を循環フアン１５で循環経路Ｂと貯留ホッパー１に循環させるようにしてある。脱水ケーキＡを移送する供給コンベヤ１６が貯留ホッパー１の前段に接続してあり、貯留ホッパー１の下方に乾燥ケーキＣの排出コンベヤ１７が配設してある。尚、脱水機の下方に貯留ホッパー１を配設してもよいものである。
【００１１】
図３は下部ゲートを解放した貯留ホッパーの縦断面図であって、貯留ホッパー１で脱水ケーキＡを乾燥させるためには、先ず、図３に示す状態から、貯留ホッパー１の側壁１ａに枢着した下部ゲート３を回動して貯留ホッパー１の排出口４を閉止させると、通気多孔板２の先端が下部ゲート３に支持されて持ち上げられ、脱水ケーキＡの支持床が形成される。そして、図１に示す貯留ホッパー１を閉止した上部ゲート１１を回動し、投入口１０を開口し、脱水機等でろ過・脱水したケーキを、図２に示す供給コンベアー１６で移送して、貯留ホッパー１の投入口１０から貯留室５に投入し、上部ゲート１１を閉止すれば脱水ケーキＡの貯留室５が密閉される。次に、除湿ユニット１４を駆動して、ヒートポンプで除湿した乾燥空気を昇温させ、循環ファン１５で循環経路Ｂから給気ダクト８に移送する。給気ダクト８から送気室６に送込まれた乾燥空気は、通気多孔板２から貯留室５の脱水ケーキＡ中に噴射される。
【００１２】
貯留ホッパー１の底部より乾燥空気を上方に向って送気するので、効率がよく均一に乾燥できる。同時に撹拌羽根７で脱水ケーキＡを解砕しながら撹拌し、水分を蒸発させて破砕ケーキを均一に除湿させる。水分を吸収して脱水ケーキＡ中を通過した湿潤空気は、貯留ホッパー１の上部側壁の排気口１２から排出される。循環経路Ｂに吸引された湿潤空気は、除湿ユニット１４で水分が除かれて、再び貯留ホッパー１の脱水ケーキＡに供給される。図３に示すように、乾燥が終了した乾燥ケーキＣは下部ゲート３を下方に回動すれば、通気多孔板２も回動して貯留ホッパー１の排出口４が解放され、乾燥ケーキＣは貯留ホッパー１から排出コンベアー１７上に落下して排出される。また、図４に示すように、乾燥中に通気多孔板２から送気室６に落下して、下部ゲート３の上に堆積した微細ケーキＤも、下部ゲート３の回動により、乾燥ケーキＣと一緒に排出される。
【００１３】
【発明の効果】
以上のように、この発明に係るケーキ貯留乾燥ホッパーは、貯留ホッパーの底部から乾燥空気を送気して、大容量のケーキを均一に乾燥し、空気の送気室に落下する微細粒子のケーキも乾燥ケーキと一緒に排出できる装置となるものである。即ち、従来のホッパーの側壁から加熱空気を供給するものにあっては、大容量のホッパーとすると、脱水ケーキの乾燥ムラが起こり、均一な乾燥ができなかった。また、ホッパーの下方から上方に向って加熱空気等を送込む乾燥装置にあっては、脱水ケーキの粉状体が乾燥機に落下して残留し、排出できない欠点があるものであるが、この発明にあっては、通気多孔板を貯留ホッパーの側壁に回動自在に枢着し、通気多孔板の枢着点より下方の側壁に回動自在に枢着した下部ゲートで貯留ホッパーの排出口を閉止して、通気多孔板の先端を支持させ、通気多孔板と下部ゲートの間の貯留ホッパーの側壁に空気の供給孔を設けたので、下部ゲートで貯留ホッパーの排出口を閉止すれば、通気多孔板上に脱水ケーキが貯留でき、下部ゲートと通気多孔板の間に送気室が形成され、通気多孔板から脱水ケーキ全体に乾燥空気が供給され、脱水ケーキを均一に乾燥できる。そして、下部ゲートを回動させて貯留ホッパーの排出口を解放すれば、下部ゲート上に落下した微細ケーキも乾燥ケーキと共に排出できる。
【００１４】
貯留ホッパーの外周壁に配設した給気ダクトを貯留ホッパーの側壁の長孔の供給孔に連通させたので、通気多孔板の下方全体に空気の供給が行われ、通気多孔板から均一に空気の送気が可能となる。貯留ホッパーの排出口を閉止した通気多孔板の上方に、一対の撹拌羽根を配設したので、ケーキが細かく破砕され、撹拌されて均質な乾燥ケーキとすることができ、大容量の脱水ケーキの処理が可能となる。そして、貯留ホッパーの頂部に開閉自在な上部ゲートを配設したので、この投入口から脱水ケーキの投入が容易となり、貯留ホッパーを密封することができる。また、貯留ホッパーの上部側壁に排気口を設けたので、貯留する脱水ケーキを短絡することなく、湿潤空気を排出することができる。更に、貯留ホッパーの給気ダクトと排気口を除湿ユニットと循環ファンを配設した循環経路で連結したので、乾燥排ガスの悪臭を外部に排出することなく、脱水ケーキを排出できる。
【図面の簡単な説明】
【図１】この発明に係るケーキ貯留乾燥ホッパーの縦断面図である。
【図２】この発明に係る乾燥システムのフローチャートである。
【図３】同じく、下部ゲートを回動して、排出口を解放した貯留ホッパーの縦断面図である。
【図４】同じく、微細ケーキが貯留ホッパーの送気室に落下した状態を示す貯留ホッパーの縦断面図である。
【符号の説明】
１  貯留ホッパー
１ａ  側壁
２  通気多孔板
２ａ  枢着点
３  下部ゲート
３ａ  枢着点
４  排出口
７  撹拌羽根
８  給気ダクト
９  供給孔
１０  投入口
１１  上部ゲート
１２  排気口
１４  除湿ユニット
１５  循環ファン
Ａ  脱水ケーキ
Ｂ  循環経路
Ｃ  乾燥ケーキ
【図１】
2004154638.tif 000003
【図２】
2004154638.tif 000004
【図３】
2004154638.tif 000005
【図４】
2004154638.tif 000006
【手続補正書】
【提出日】平成14年11月6日(2002.11.6)
【手続補正１】
【補正対象書類名】図面
【補正対象項目名】全図
【補正方法】変更
【補正の内容】
【図１】
2004154638.tif 000007
【図２】
2004154638.tif 000008
【図３】
2004154638.tif 000009
【図４】
2004154638.tif 000010